(57)【要約】【課題】ユーザの状態に応じてコンテンツ情報の提示を制御し、コンテンツ情報をユーザに分かりやすく提示する。【解決手段】コンテンツ情報を提示する情報提示装置１であって、コンテンツ情報に関連する注釈情報および制御情報を記憶する記憶手段１８と、ユーザの状態を検知するユーザ状態検知手段１１と、ユーザ状態検知手段１１が検知したユーザの状態に対応する制御情報を前記記憶手段１８から取得し、取得した制御情報に従って注釈情報およびコンテンツ情報の提示を制御する制御手段１５と、制御手段１５の制御に従って注釈情報およびコンテンツ情報を提示する提示手段１３と、を有する。【選択図】図２
2012169809.tif 000002
【特許請求の範囲】
【請求項１】
コンテンツ情報を提示する情報提示装置であって、
前記コンテンツ情報に関連する注釈情報および制御情報を記憶する記憶手段と、
ユーザの状態を検知するユーザ状態検知手段と、
前記ユーザ状態検知手段が検知したユーザの状態に対応する制御情報を前記記憶手段から取得し、取得した制御情報に従って前記注釈情報および前記コンテンツ情報の提示を制御する制御手段と、
前記制御手段の制御に従って、前記注釈情報および前記コンテンツ情報を提示する提示手段と、を有すること
を特徴とする情報提示装置。
【請求項２】
請求項１記載の情報提示装置であって、
周囲の状況を検知する周囲状況検知手段を、さらに有し、
前記制御手段は、前記周囲状況検知手段が検知した周囲の状況に対応する制御情報を前記記憶手段から取得し、取得した制御情報に従って前記注釈情報および前記コンテンツ情報の提示を制御すること
を特徴とする情報提示装置。
【請求項３】
請求項１または２記載の情報提示装置であって、
前記注釈情報および前記制御情報の入力を受け付け、前記記憶手段に登録する登録手段を、さらに有すること
を特徴とする情報提示装置。
【請求項４】
コンテンツ情報を提示する情報提示方法であって、
情報提示装置は、
前記コンテンツ情報に関連する注釈情報および制御情報を記憶する記憶部を有し、
ユーザの状態を検知するユーザ状態検知ステップと、
前記ユーザ状態検知ステップで検知したユーザの状態に対応する制御情報を前記記憶部から取得し、取得した制御情報に従って前記注釈情報および前記コンテンツ情報の提示を制御する制御ステップと、
前記制御ステップの制御に従って、前記注釈情報および前記コンテンツ情報を提示する提示ステップと、を行うこと
を特徴とする情報提示方法。
【請求項５】
請求項４記載の情報提示方法であって、
周囲の状況を検知する周囲状況検知ステップを、さらに行い、
前記制御ステップは、前記周囲状況検知ステップでが検知した周囲の状況に対応する制御情報を前記記憶部から取得し、取得した制御情報に従って前記注釈情報および前記コンテンツ情報の提示を制御すること
を特徴とする情報提示方法。
【請求項６】
請求項４または５記載の情報提示方法であって、
前記注釈情報および前記制御情報の入力を受け付け、前記記憶部に登録する登録ステップを、さらに行うこと
を特徴とする情報提示方法。
【請求項７】
請求項１から請求項３のいずれか一項に記載の情報提示装置としてコンピュータを機能させるための情報提示プログラム。
【発明の詳細な説明】
【技術分野】
【０００１】
本発明は、コンテンツ情報を提示する情報提示装置、情報提示方法、および情報提示プログラムに関する。
【背景技術】
【０００２】
コンテンツ情報を、ユーザに分かりやすく提示するための技術が存在する。例えば、特許文献１では、映像にアノテーションを付与する技術が記載されている。また、特許文献２では、画像・音声等の広告情報を出力する際に、出力機器と情報提供者との距離や、情報提供者の動きの方向等に基づいて、表示する情報量を最適化する技術が記載されている。
【先行技術文献】
【特許文献】
【０００３】
【特許文献１】特開2009-147538号公報
【特許文献２】特開2009-277097号公報
【発明の概要】
【発明が解決しようとする課題】
【０００４】
コンテンツ情報は、ユーザに分りやすく提示される必要がある。すなわち、ユーザが知りたい情報を知りたいときに、提示することが求められている。また、危険への注意喚起など、ユーザが気付いてない場合にコンテンツ情報を確実に認識させる必要がある。
【０００５】
しかしながら、特許文献１、２では、ユーザの状態については考慮されていない。例えば、ユーザがディスプレイを見ていない状態、あるいは、ディスプレイを見ることができない状態におかれている場合、視覚効果で登録されたコンテンツ情報やアノテーションは、ユーザに伝わらず、ユーザがコンテンツ情報を把握しにくい場合ある。
【０００６】
本発明は、上記事情に鑑みてなされたものであり、本発明の目的は、ユーザの状態に応じてコンテンツ情報の提示を制御し、コンテンツ情報をユーザに分かりやすく提示する情報提示装置、情報提示方法、および情報提示プログラムを提供することにある。
【課題を解決するための手段】
【０００７】
上記目的を達成するため、本発明は、コンテンツ情報を提示する情報提示装置であって、前記コンテンツ情報に関連する注釈情報および制御情報を記憶する記憶手段と、ユーザの状態を検知するユーザ状態検知手段と、前記ユーザ状態検知手段が検知したユーザの状態に対応する制御情報を前記記憶手段から取得し、取得した制御情報に従って前記注釈情報および前記コンテンツ情報の提示を制御する制御手段と、前記制御手段の制御に従って、前記注釈情報および前記コンテンツ情報を提示する提示手段と、を有する。
【０００８】
また、本発明は、コンテンツ情報を提示する情報提示方法であって、情報提示装置は、前記コンテンツ情報に関連する注釈情報および制御情報を記憶する記憶部を有し、ユーザの状態を検知するユーザ状態検知ステップと、前記ユーザ状態検知ステップで検知したユーザの状態に対応する制御情報を前記記憶部から取得し、取得した制御情報に従って前記注釈情報および前記コンテンツ情報の提示を制御する制御ステップと、前記制御ステップの制御に従って、前記注釈情報および前記コンテンツ情報を提示する提示ステップと、を行う。
【０００９】
また、本発明は、前記情報提示装置としてコンピュータを機能させるための情報提示プログラムである。
【発明の効果】
【００１０】
本発明によれば、ユーザの状態に応じてコンテンツ情報の提示を制御し、コンテンツ情報をユーザに分かりやすく提示する情報提示装置、情報提示方法、および情報提示プログラムを提供することができる。
【図面の簡単な説明】
【００１１】
【図１】本発明の具体例の概要を示す説明図である。
【図２】本発明の実施形態に係る情報提示装置の構成図である。
【図３】注釈情報および制御情報の登録画面の一例を示す図である。
【図４】本実施形態の動作を示すフローチャートである。
【図５】コンテンツ情報が料理の手順の場合の動作を示すフローチャートである。
【図６】コンテンツ情報が運転ナビゲーションの場合の動作を示すフローチャートである。
【発明を実施するための形態】
【００１２】
以下、本発明の実施の形態について、図面を参照して説明する。
【００１３】
図１は、本発明の概要を、説明するためのイメージ図である。図示する例では、ユーザ８が、ナットを順番通りに締める作業をしている。情報提示装置１のディスプレイ（提示部）１３に表示・提示されるコンテンツ情報は、ユーザにナットを締める作業の手順を示すものである。
【００１４】
図示する例では、ナットＡおよびナットＢは、１つしかない。このため、ナットＡおよびナットＢの作業に関しては、ユーザがディスプレイ１３の画面（コンテンツ情報）を見ていないとユーザ状態検知部１１が検出した場合は、スピーカ（提示部）１３から音声で「ナットＡを締めてください」、「ナットＢを締めてください」などの注釈情報を出力することとする。これにより、ユーザ８は、ディスプレイ１３の画面（コンテンツ情報）を見ていなくても、作業手順を知ることができる。
【００１５】
しかしながら、図示する例では、ナットＣは２つあるため、どちらのナットを先に締めるかは音声では表現しにくい。そこで間違いを防止するために、ナットＣの作業に関しては、「ユーザが視覚で情報を確認しなければ次に進めない」といった制御を行うこととする。この制御を行うために、情報提示装置１には、例えば図示する注釈情報および制御情報１０１が登録されているものとする。
【００１６】
具体的には、ユーザが画面を見ていない場合は、「ディスプレイを確認してください。」（注釈情報）を音声でスピーカ１３から出力し、その後、次の条件が満たされるまでコンテンツ情報を遷移させずに停止する。
【００１７】
また、ユーザが画面を見ている場合は、ディスプレイ１３の画面に表示された矢印１０２を５秒間表示し、その後、次の作業手順のコンテンツ情報に遷移する。
【００１８】
このように、本実施形態では、ユーザの状態などに応じて注釈情報およびコンテンツ情報を制御するものとする。
【００１９】
図２は、本実施形態に係る情報提示装置１の構成を示す構成図である。本実施形態の情報提示装置１は、ユーザ状態検知部１１と、周囲状況検知部１２と、提示部１３と、入力部１４と、制御部１５と、登録部１６と、コンテンツ情報記憶部１７と、注釈・制御情報記憶部１８とを備える。
【００２０】
ユーザ状態検知部１１は、当該情報提示装置１を使用してコンテンツ情報を閲覧しているユーザの状態を検知し、検知した結果を制御部１５に入力する。ユーザの状態は、例えば、ユーザが何を見ているかなどを、測定・推定可能な情報を意味する。なお、ユーザは、１人でも複数であってもよい。
【００２１】
例えば、ユーザの状態として、図１で説明したように、ユーザが情報提示装置１の画面を見ているか否かの注目情報を用いる場合、ユーザ状態検知部１１は、ビデオカメラから撮像されたユーザの映像を画像処理することで、ユーザが画面を向いているのか、他の方向を向いているのかを判別する。
【００２２】
また、ユーザの状態として、ユーザの心理状態を用いる場合、ユーザ状態検知部１１は、ユーザの脈拍を脈拍計で測定し、脈拍間隔の変動を高速フーリエ変換してパワースペクトルを取得する。そして、パワースペクトルからLF：Low Frequency成分(0.04〜0.15Hz)と、HF：Hight Frequency成分(0.15〜0.40Hz)とを取り出し、LF/HFからユーザの交感神経活動の変化を算出し、LF/HFの値を精神的ストレスとして推定する。そして、精神的ストレス（LF/HFの値）を、例えば「5」を平常状態とした0から10のスケールに割り当て（キャストし）、割り当てられた0から10のいずれかの値をユーザの心理状態（覚醒度）とすることが考えられる。この場合、制御情報としては、例えば「覚醒度が5以上の場合、ゆっくりした音楽を再生」、「覚醒度が5未満の場合、目が覚める音楽を再生」などを登録することが考えられる。
【００２３】
なお、ユーザ状態検知部１１が検知するユーザの状態は、これらに限定されるものではない。すなわち、「画面を見ている/見ていない」のようなtrue、 falseの二値や、「起きている、寝ている、離席している」のような多値でもよく、また、「画面を見た回数」のような数値でもよい。あるいは、「ユーザが何らかのスイッチを押した」や、「音声認識を利用した声による操作入力」などでもよい。
【００２４】
周囲状況検知部１２は、情報提示装置１とそれを利用するユーザを取り巻く、周囲の状況（環境）を検知し、検知した結果を制御部１５に入力する。周囲の状況は、周囲から検知できる情報であり、例えば「3時になった」、「晴れている」、あるいはその場の「暗さ」や「騒音」などが考えられるが、これらに限定されるものではない。また無線通信など、外部からの入力信号の内容を、周囲の状況として用いることとしてもよい。
【００２５】
例えば、周囲の状況として照度を用いる場合、周囲状況検知部１２は、照度センサを用いて照度を測定し、測定した照度を0から10のスケールに割り当て（キャストし）、割り当てられた0から10のいずれかの値を周囲の状況として、制御部１５に入力する。この場合、制御情報には、例えば「照度が5以上の場合、音声で再生」（明るいと画面が見にくいため）、「照度が5未満の場合、画面に表示」などを登録する。
【００２６】
提示部１３は、制御部１５の制御に従って、コンテンツ情報および注釈情報をユーザに提示する装置であって、例えばディスプレイ、スピーカなどを用いる。
【００２７】
入力部１４は、例えば、キーボードや、マウスなどの入力装置であって、ユーザが入力する注釈情報および制御情報の入力を受け付ける。
【００２８】
制御部１５は、ユーザ状態検知部１１が検知したユーザの状態や、周囲状況検知部１２が検知した周囲の状態に対応する制御情報を、注釈・制御情報記憶部１８から取得し、取得した制御情報に従って注釈情報およびコンテンツ情報の提示を制御する。
【００２９】
登録部１６は、入力部１４を用いてユーザが入力した注釈情報および制御情報を、対応付けて注釈・制御情報記憶部１８に登録する。
【００３０】
コンテンツ情報記憶部１７には、少なくとも１つのコンテンツ情報が記憶されている。  コンテンツ情報としては、映像、音声、テキストなどのマルチメディア情報を用いることができ、例えば、作業手順、映像、地図など、それ自身が何らかの情報を持ち、ユーザによって閲覧されるものである。なお、コンテンツ情報は、これらに限定されるものではない。
【００３１】
注釈・制御情報記憶部１８には、注釈情報と、制御情報とが対応付けて記憶される。注釈情報は、コンテンツ情報に関連する情報であって、コンテンツ情報を作成した後に、付加することができる。注釈情報の役割は、例えば、コンテンツ情報の解説や補足、あるいは強調であり、テキストのデータやマーキングのポインタなどが想定される。
【００３２】
制御情報は、コンテンツ情報および注釈情報の提示の方法（手段）、ページ送りのようなコンテンツ情報の遷移処理など、コンテンツ情報および注釈情報の提示を制御するための情報である。本実施形態では、注釈情報とともに制御情報を登録することで、注釈情報の内容だけでなく、ユーザの状態や周囲の状況に適応させてどのように提示するかのルールあるいはシナリオのような概念を設定することができる。
【００３３】
本実施形態の注釈情報および制御情報は、コンテンツ情報のページ番号、シーケンス番号、区間、再生時間など処理を行うタイミングと紐付けされて、if-thenの文法で記述される。ifには、ユーザ状態検知部１１および周囲状況検知部１２の少なくとも１つの検知部が検知した結果を入力とした判定条件を設定する。thenには、判定条件が真であるときのコンテンツ情報と注釈情報の提示方法、注釈情報の内容、コンテンツ情報のページ送りや巻き戻しなどの遷移処理などが設定される。
【００３４】
図３は、情報提示装置１の提示部１３（ディスプレイ）に表示され、ユーザに注釈情報および制御情報を登録させるための登録画面の一例である。なお、登録画面は、例えばhtmlなどを用いて生成される。登録部１６は、ユーザからの登録要求を受け付けると、図３に示すような登録画面を提示部１３（ディスプレイ）に表示する。
【００３５】
図示する例では、図１で説明した作業手順のコンテンツ情報に対する、注釈情報および制御情報が設定されている。図３（ａ）、（ｂ）では、作業手順のページ1において、ifにユーザの状態（注目）を入力とした判定を設定し、thenに注釈情報の内容と提示手段、コンテンツ情報の遷移処理を記述している。なお、図示する例では、同一ページ内で複数の制御をするためシーケンス番号も設定している。
【００３６】
具体的には、図３（ａ）では、ifの判定で「ユーザが画面を見ていないとき」、注釈情報の「ディスプレイを確認してください」を、音声でスピーカから出力し、画面に表示されているコンテンツ情報を停止させる制御情報が登録されている。この場合、ユーザが画面を見ない限り次のシーケンスには進まないため、コンテンツ情報の確実な確認を促すことができる。
【００３７】
図３（ｂ）では、ifの判定で「ユーザが画面を見ているとき」、注釈情報として「矢印」を画面上で「5秒間点滅表示」させ、画面に表示されているコンテンツ情報を次のシーケンスへ遷移させる制御情報が登録されている。
【００３８】
なお、他のコンテンツ情報にも同様の注釈情報および制御情報を設定する場合、図３（ａ）、（ｂ）に示す設定情報をテンプレートとして記憶部（不図示）に保存しておき、登録画面を表示する際に、保存したテンプレートを読み込み、初期状態として表示することとしてもよい。
【００３９】
また、注釈情報および制御情報を登録するユーザは、限定されない。例えば、コンテンツ情報の作成者、コンテンツを視聴するユーザ、あるいはインターネットを介して同じコンテンツ情報を視聴した第三者などでもよい。
【００４０】
情報提示装置は、例えば、ＣＰＵと、メモリと、ＨＤＤ等の外部記憶装置と、入力装置と、出力装置とを備えた汎用的なコンピュータシステムを用いることができる。このコンピュータシステムにおいて、ＣＰＵがメモリ上にロードされた情報提示装置用のプログラムを実行することにより、情報提示装置の各機能が実現される。また、情報提示装置用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００４１】
次に、本実施形態の動作について説明する。
【００４２】
図４は、情報提示装置１の動作を示すフローチャートである。
【００４３】
なお、コンテンツ情報はコンテンツ情報記憶部１７に記録され、注釈情報および制御情報についても登録部１６により注釈・制御情報記憶部１８に記録されているものとする。
【００４４】
まず、制御部１５は、コンテンツ情報記憶部１７からコンテンツ情報を、注釈・制御情報記憶部１８から注釈情報および制御情報を読み出す(S301)。なお、各情報は、必要なときに記憶部１７、１８から随時読み出すこととしてもよい。
【００４５】
そして、S303からS306の処理をコンテンツ情報が終わるまで繰り返し行う（S302）。すなわち、ユーザ状態検知部１１は、ユーザの状態を検知し、検知結果を制御部１５に出力する。または、周囲状況検知部１２は、周囲の状況の検知し、検知結果を制御部１５に出力する(S303)。なお、検知結果は、ユーザの状態だけでもよく、また、周囲の状況だけでもよく、あるいは、ユーザの状態および周囲の状況の両方であってもよい。
【００４６】
そして、制御部１５は、入力された検知結果を用いて、注釈・制御情報記憶部１８から読み出した制御情報で設定された条件（if文）を判定し(S304)、判定した条件に対応する制御情報（then文）に従って注釈情報を提示し(S305)、コンテンツ情報を遷移させる(S306)。そして、コンテンツ情報が終了するまでS303からS306の処理を繰り返し行う。
【００４７】
次に、コンテンツ情報が料理の手順とレシピの場合と、運転ナビゲーションの場合とを例として、図４のフローチャートを具体的に説明する。
【００４８】
図５は、コンテンツ情報が料理の手順とレシピの場合の動作例である。なお図中の左側に記載した番号は、図４との対応関係を示している。
【００４９】
一般的に料理中は、両手で作業しているため、情報提示装置１の操作を手入力することはユーザにとって面倒である。また、炒め物など料理の音で音声によるアナウンスが聞こえない、あるいは画面ばかり見ていると怪我をしてしまう恐れなども考えられる。このため、図示するフローチャートでは、周囲の状況として騒音を、ユーザの状態として画面への注目を検知するものとする。
【００５０】
周囲状況検知部１２は、マイクを用いて周囲の状況を録音し、周囲の騒音の音量を測定し、測定結果を制御部１５に出力する(S402)。ユーザ状態検知部１１は、カメラを用いてユーザを撮影し、撮影した画像を解析することによりユーザが情報提示装置１の画面（提示部１３）を見ているか否かを判定し、判定結果を制御部１５に出力する(S403)。また、制御部１５は、ユーザ状態検知部１１の判定結果を用いて、ユーザが画面を見ている時間を計測する(S404)。
【００５１】
そして、制御部１５は、注釈・制御情報記憶部１８から読み出した、料理の手順とレシピ用の制御情報で設定された条件（if文）を判定する。すなわち、S402で計測された結果を用いて、騒音量が所定の値以上か否かを判定する(S405)。所定の値以上の場合(S405：YES)、情報提示装置１のスピーカ（提示部１３）からの音声が聞こえにくいため、制御部１５は、制御情報（then文）に従って画面（提示部１３）にコンテンツ情報（料理の手順、レシピ等）および注釈情報を提示する(S408)。
【００５２】
また、騒音量が一定値未満で(S405：NO)であっても、ユーザが画面を見ている場合(S406：YES)は、制御部１５は、この場合の条件（if文）に対応する制御情報（then文）に従って画面（提示部１３）にコンテンツ情報（料理の手順、レシピ等）および注釈情報を提示する(S408)。なお、S406のユーザが画面を見ているか否かは、S403のユーザ状態検知部１１の判定結果を用いる。
【００５３】
また、騒音量が一定値未満で(S405：NO)で、かつ、ユーザが画面を見ていない場合(S406：NO)であって、ユーザが画面を確認する必要がない場合(S407：NO)は、制御部１５は、この場合の条件（if文）に対応する制御情報（then文）に従って、スピーカ（提示部１３）から音声でコンテンツ情報（料理の手順、レシピ等）および注釈情報を出力する(S410)。なお、コンテンツ情報まで音声で説明すると長くなってしまう場合は、注釈情報だけを音声で出力することとしてもよい。
【００５４】
また、作業する前に画面の確認が必要な場合(S407：YES)は、制御部１５は、この場合の条件（if文）に対応する制御情報（then文）に従って、ユーザが画面を見るように、音声と画面で注視を訴求し、ユーザが画面を見るまで同じ処理を繰り返す(S409)。例えば、スピーカ（提示部１３）から音声で「ディスプレイ（画面）を確認してください」のアナウンスを出力し、また、画面上では強調のために点滅させる。
【００５５】
そして、制御部１５は、コンテンツ情報を次のシーケンスに遷移させる際に、制御情報（then文）に従って、S404で計測された画面を見ている時間が、所定の時間を越えるか否かを判定する(S411)。制御部１５は、画面を所定の時間を超えて見ている場合(S411：YES) 、次のシーケンスに遷移させ(S412)、画面を見ている時間が一定時間未満の場合(S411：NO) 、S402に戻り以降の処理を繰り返し行う。これにより、ユーザは、作業が終わって次のシーケンスのコンテンツ情報を見たい場合、現在表示されているシーケンスの画面を一定時間注視するだけでよい。
【００５６】
図６は、コンテンツ情報が運転ナビゲーションの場合の動作例である。なお図中の左側に記載した番号は、図４との対応関係を示している。この場合、情報提示装置１は車に搭載されているものとする。
【００５７】
車の運転中は眠気を予防する必要があり、また画面への注視は安全上危険であるため、音声によるナビゲーションを充実させる必要がある。このため、図示するフローチャートでは、ユーザの状態として脈拍と画面への注目を、周囲の状況として車の位置を、検知するものとする。なお、車の位置の検知は、一般的なカーナビゲーション技術を用いるものとし、ここでは説明を省略する。
【００５８】
ユーザ状態検知部１１は、脈拍計を用いてユーザの脈拍間隔の変動を測定し(S502)、測定したデータを高速フーリエ変換してパワースペクトルを取得し(S503)、LF/HFを算出して最大値を10、最小値を0とした覚醒度を測定し(S504)、測定結果を制御部１５に出力する。
【００５９】
また、ユーザ状態検知部１１は、カメラを用いてユーザの顔を撮影し(S505)、撮影した画像を解析することによりユーザが情報提示装置１の画面（提示部１３）を見ているか否かを判定し、判定結果を制御部１５に出力する(S506)。
【００６０】
そして、制御部１５は、注釈・制御情報記憶部１８から読み出した、運転ナビゲーション用の制御情報で設定された条件（if文）を判定する。すなわち、S504で測定された覚醒度が所定の値以上か否かを判定する(S507)。覚醒度が所定の値以上の場合(S507：YES)、制御部１５は、制御情報（then文）に従って所定の音楽（例えば、ユーザが指定した音楽など）をスピーカ（提示部１３）から出力する(S509)。覚醒度が所定の値未満の場合(S507：NO)、運転中のユーザが眠ってしまう恐れがあるため、制御部１５は、制御情報（then文）に従って目を覚ますような音楽をスピーカ（提示部１３）から出力する(S508)。
【００６１】
また、当該シーケンスに遷移してからユーザが画面を見ている回数が所定の回数以上の場合(S511：YES)は、ユーザがナビゲーションをより詳しく確認したいという欲求があるとみなし、制御部１５は、制御情報（then文）に従って、道順などに関するコンテンツ情報や注釈情報の音声でのナビゲーションを、詳細なものに切り替えてスピーカ（提示部１３）から出力する(S513)。一方、画面を見ている回数が所定の回数未満の場合(S511：NO)は、制御部１５は、制御情報（then文）に従って、道順などに関するコンテンツ情報や注釈情報の音声でのナビゲーションを、通常のものに切り替えてスピーカ（提示部１３）から出力する(S512)。
【００６２】
そして、周囲の状況として検知した車の位置が所定の位置に到着した場合(S514：YES)、次のシーケンスに遷移する。
【００６３】
以上説明した本実施形態では、ユーザの状態や周囲の状況に応じてコンテンツ情報の提示を制御する。これにより、本実施形態では、コンテンツ情報とそれに付加された注釈情報が、視聴するユーザの状態や周囲の状況に適した方法で提示されるようになり、視聴するユーザは知りたい情報を適切に知ることができる。また、ユーザが認識していない情報についても、ユーザの状態等に応じて適切な方法で提示されるため、ユーザに気づかせることができる。
【００６４】
また、本実施形態では、ユーザが自由に、注釈情報および制御情報を登録することができる。これにより、コンテンツ情報だけでは伝えきれない情報を、視聴するユーザに対して柔軟かつ適切に提示することができ、より正確な情報提供を促すことができる。
【００６５】
また、本実施形態では、コンテンツ情報が作成された後で、注釈情報と制御情報を登録できるため、視聴するユーザや検知部の検知結果に応じた注釈情報および制御情報を設定することができる。また、注釈情報を付加するユーザが意図する視聴の方法を、視聴するユーザに促すこともできる。
【００６６】
また、本実施形態では、制御情報（注釈情報も含む）を用いることで、ユーザの状態や周囲の状況に合わせた制御情報のテンプレートの作成や、カスタマイズによる個人対応が可能となる。例えば、高齢者向け、視覚障害者向けといったテンプレートを作成することで、様々なコンテンツ情報が、視聴するユーザの個々の状態に応じて適切に提示される。また、左利きのユーザが自分のために制御情報をカスタマイズし、一般に提供されるコンテンツ情報を特に自分にとって見やすく（利用しやすく）調整することも可能となる。また、情報提示装置１が設置される場所に応じて、あらかじめいくつかの制御情報を、注釈・制御情報記憶部１８に登録しておくことで、ユーザの移動に合わせて使用する制御情報を自動的に選択し、調整することも可能となる。
【００６７】
また、本実施形態では、ユーザ状態検知部１１および周囲状況検知部１２が検知した結果は、制御部１５に集約される。これにより、本実施形態では、新たな検知部の追加や、変更などに柔軟に対応でき、拡張性や汎用性に優れている。
【００６８】
なお、本発明は上記実施形態に限定されるものではなく、その要旨の範囲内で数々の変形が可能である。例えば、上記実施形態の情報提示装置１では、ユーザ状態検知部１１と、周囲状況検知部１２の２つの検知部を備えることとしたが、情報提示装置１は、ユーザ状態検知部１１のみを備えることとしてもよく、また、周囲状況検知部１２のみを備えることとしてもよい。
【符号の説明】
【００６９】
１  ：情報提示装置
１１：ユーザ状態検知部
１２：周囲状況検知部
１３：提示部
１４：入力部
１５：制御部
１６：登録部
１７：コンテンツ情報記憶部
１８：注釈・制御情報記憶部
【図１】
2012169809.tif 000003
【図２】
2012169809.tif 000004
【図３】
2012169809.tif 000005
【図４】
2012169809.tif 000006
【図５】
2012169809.tif 000007
【図６】
2012169809.tif 000008